(57)【要約】【課題】  湿式拭きできる清掃具において、簡易な構成により液剤を安定的に吐出可能にすること。【解決手段】  柄１０の先端に清掃ヘッド３０を設け、柄１０に取付けたスクイズ式吐出容器４０から清掃ヘッド３０の側に液剤を吐出させる清掃具１であって、柄１０に枢支したハンドル１６により、ハンドル１６と柄１０の間で吐出容器４０を挟むことにより該吐出容器４０をスクイズ可能にするもの。【選択図】  図１
2010063942.tif 000002
【特許請求の範囲】
【請求項１】
柄の先端に清掃ヘッドを設け、柄に取付けたスクイズ式吐出容器から清掃ヘッドの側に液剤を吐出させる清掃具であって、
柄に枢支したハンドルにより、ハンドルと柄の間で吐出容器を挟むことにより該吐出容器をスクイズ可能にする清掃具。
【請求項２】
前記吐出容器の開口にチューブを介して接続されたノズルを清掃ヘッドの側傍に配置してなる請求項１に記載の清掃具。
【請求項３】
前記吐出容器から清掃ヘッドの側に液剤を吐出させる吐出経路に自己閉鎖弁を設けてなる請求項１又は２に記載の清掃具。
【請求項４】
前記吐出容器に空気置換弁を設けてなる請求項１〜３のいずれかに記載の清掃具。
【請求項５】
前記吐出容器が空気導入孔を備えた外側層と内側層とを有し、外側層と内側層の間に空気を導入し、内側層の中に液剤を収容する請求項１〜３のいずれかに記載の清掃具。
【請求項６】
前記吐出容器が、少なくとも非清掃時に、容器本体の上にその開口を位置させる正立状態で柄に取付けられる請求項１〜５のいずれかに記載の清掃具。
【発明の詳細な説明】
【技術分野】
【０００１】
本発明は清掃具に関する。
【背景技術】
【０００２】
特許文献１に記載の如く、湿式拭き用清掃具として、柄の先端の清掃ヘッドの近傍に、電動ギヤポンプ式吐出容器を設け、柄の手元操作部に加える手操作により電動ギヤポンプ式吐出容器を作動させ、該吐出容器から清掃ヘッドの側に液剤を吐出させるものがある。
【０００３】
特許文献２に記載の如く、湿式拭き用清掃具として、柄の先端の清掃ヘッドの近傍に、開閉弁を備えてヘッド圧により液剤を吐出可能にする吐出容器を設け、柄の手元操作部に加える手操作により開閉弁を開き、該吐出容器から清掃ヘッドの側に液剤を吐出させるものがある。
【先行技術文献】
【特許文献】
【０００４】
【特許文献１】特表2000-507480
【特許文献２】PCT WO01-72195 A1
【発明の概要】
【発明が解決しようとする課題】
【０００５】
特許文献１の清掃具では、電動ギヤポンプ式吐出容器を用いるものであるから、電源、電動モータ、電気回路を必要とし、構成が複雑でコスト高になるし、メンテナンスにも困難がある。
【０００６】
特許文献２の清掃具では、手元操作部により開閉弁を開閉操作するものであり、開閉弁、遠隔操作機構を必要とし、構成が複雑でコスト高になるし、メンテナンスにも困難がある。
【０００７】
尚、柄の先端の清掃ヘッドの近傍に、封入ガス圧により液剤を吐出可能にするエアゾール式吐出容器を設け、柄の手元操作部に加える手操作によりエアゾール式吐出容器の開閉弁を作動させ、該吐出容器から清掃ヘッドの側に液剤を吐出させるものがある。しかしながら、エアゾール式吐出容器は、封入ガス圧の密閉安定性のために円柱状の金属容器とされ、加工性が悪いし、柄等への取付性も悪く、軽量化と低コスト化に困難がある。また、手元操作部により開閉弁を作動させるものであり、開閉弁、遠隔操作機構を必要とする点においても、構成が複雑でコスト高になるし、メンテナンスにも困難がある。
【０００８】
本発明の課題は、湿式拭きできる清掃具において、簡易な構成により液剤を安定的に吐出可能にすることにある。
【課題を解決するための手段】
【０００９】
請求項１の発明は、柄の先端に清掃ヘッドを設け、柄に取付けたスクイズ式吐出容器から清掃ヘッドの側に液剤を吐出させる清掃具であって、柄に枢支したハンドルにより、ハンドルと柄の間で吐出容器を挟むことにより該吐出容器をスクイズ可能にするようにしたものである。
【発明の効果】
【００１０】
本発明によれば、湿式拭きできる清掃具において、簡易な構成により液剤を安定的に吐出できる。
【図面の簡単な説明】
【００１１】
【図１】図１は清掃具を示し、（Ａ）は一実施例を示す模式側面図、（Ｂ）は変形例を示す模式側面図である。
【図２】図２は清掃具を示す斜視図である。
【図３】図３はノズルを示し、（Ａ）は断面図、（Ｂ）は分解斜視図である。
【図４】図４は空気置換弁付容器を示し、（Ａ）は容器本体を示す側面図、（Ｂ）は空気置換弁を示す断面図、（Ｃ）は空気置換弁を示す平面図である。
【図５】図５は清掃具の非使用状態を示す斜視図である。
【図６】図６は積層剥離容器を示し、（Ａ）は斜視図、（Ｂ）は側面図である。
【発明を実施するための形態】
【００１２】
清掃具１は、図１、図２に示す如く、柄１０の先端に自在継手２０を介して清掃ヘッド３０を設け、柄１０に取付けたスクイズ式吐出容器４０から清掃ヘッド３０の側に液剤を吐出させる。
【００１３】
柄１０は、グリップ１１と先端アダプタ１２と、それらの間に設けられる複数本のパイプ１３の接続体である。清掃具１は、先端アダプタ１２に自在継手２０を介して清掃ヘッド３０を連結し、清掃ヘッド３０を柄１０に対し前後左右に自在に回動可能にする。
【００１４】
清掃ヘッド３０は、ベース３１の底部まわりに清掃シートを巻付け可能にされ、この清掃シートを係止するシート係止具３２をベース３１の上面の４隅に備える。清掃ヘッド３０は、吐出容器４０から吐出される液剤を含浸させた清掃シートにより床面を湿式拭き可能にする他、液剤を含浸させない清掃シートにより床面を乾式拭き可能にする。
【００１５】
尚、清掃ヘッド３０は、清掃シートを伴なうことを必須とせず、ベース３１の底部にスポンジシート等を取付けても良い。
【００１６】
スクイズ式吐出容器４０は、柄１０に設けた容器取付具１４に着脱可能にされる容器本体４１を有する。容器本体４１に螺着されるキャップ４２の開口４２Ａにはチューブ４３の一端が接続され、チューブ４３の他端にはノズル４４が接続される。チューブ４３はチューブ取付具１５により柄１０に着脱され、ノズル４４は清掃ヘッド３０の前面等の側傍に液剤を吐出可能に配置される。柄１０に取付けた倒立状態（容器本体４１の下にキャップ４２、チューブ４３、ノズル４４を位置させる状態）の容器本体４１を直にスクイズする（押し圧して絞る）ことにより、容器本体４１の液剤をチューブ４３経由でノズル４４から吐出する。
【００１７】
吐出容器４０から清掃シート３０の側に液剤を吐出させる吐出経路を構成するノズル４４は、図３に示す如く、ノズル本体４４Ａの吐出口に自己閉鎖弁４５と固定部材４６を有し、ノズル本体４４Ａの内部にスピンエレメント４４Ｂを有して構成される。自己閉鎖弁４５は、シリコーンゴム等からなり、自己弾性により、無負荷時には閉鎖し、液剤の吐出圧力作用時には開口する一文字状のスリット、Ｘ字状のスリット等にて刻設される。
【００１８】
スクイズ式吐出容器４０は、図４に示す如く、キャップ４２に空気置換弁５０を設けている。空気置換弁５０は、キャップ４２の肩部に形成された開口凹部４２Ｂにゴム製弁部材５１を挿着し、その上から押さえ部材５２を嵌入している。弁部材５１は、有底筒状態の底壁５１Ａの周端部に円弧状の３つの通孔５１Ｂを形成し、その通孔５１Ｂを開口凹部４２Ｂの開口４２Ｃ上に位置する。押さえ部材５２の底部５２Ａに形成した吸引口５２Ｂは、弁部材５１の底壁５１Ａ上に位置する。吐出容器４０の容器本体４１をスクイズした液剤の吐出時には、容器本体４１内の加圧力により液剤がキャップ４２の開口４２Ａから押し出され、空気置換弁５０の弁部材５１はその通孔５１Ｂを押さえ部材５２の底部５２Ａに密着して液漏れを生じない。液剤の吐出後に容器本体４１のスクイズを解除すると、容器本体４１が原形に弾性的に復元しようとし、弁部材５１の底壁５１Ａが容器本体４１の減圧力により内方に弾性変形し、これにより押さえ部材５２の底部５２Ａから離れる通孔５１Ｂが開いて容器本体４１内に外気を取り入れる。
【００１９】
清掃具１の湿式拭きによる清掃動作時には、使用者は適時のタイミングで吐出容器４０の容器本体４１をスクイズし、吐出容器４０の液剤を清掃ヘッド３０の周辺に噴霧する。使用者が柄１０を介して清掃ヘッド３０を床面上で摺動させることにより、液剤が含浸した清掃シートにより床面を湿式拭きする。
【００２０】
清掃具１の乾式拭きによる清掃動作時には、使用者が、吐出容器４０をスクイズすることなく、清掃ヘッド３０を床面上で摺動させることにより、乾燥状態にある清掃シートにより床面を乾式拭きする。
【００２１】
清掃具１の不使用時、即ち非清掃時には、図５に示す如く、吐出容器４０の容器本体４１、キャップ４２からチューブ４３を取外し、容器取付具１４の180度反転機構等により、柄１０に対する吐出容器４０の取付姿勢を上下反転した正立状態にし、容器本体４１の上にキャップ４２、開口４２Ａを位置させる。
【００２２】
尚、吐出容器４０として、積層剥離容器６０を用いるものでも良い。積層剥離容器６０は、図６に示す如く、空気導入孔６１Ａを備えた外側層６１と、外側層６１の内面から剥離する内側層６２とを有し、外側層６１と内側層６２の間に空気を導入し、内側層６２の中に液剤を収容するものである。
【００２３】
本実施形態によれば以下の作用効果を奏する。
（請求項１）
(a)柄１０にスクイズ式吐出容器４０を取付けるだけの簡易な構成であり、またスクイズ式吐出容器４０をスクイズするだけで液剤を清掃ヘッド３０の側に安定的に吐出できる。
【００２４】
(b)柄１０にスクイズ式吐出容器４０を取付けるものであるため、使用者は清掃姿勢のまま容易にスクイズできる。尚、スクイズ式吐出容器４０は柄１０の任意の位置に取付けできる。また、湿式拭き清掃時には片手でグリップ１１を把持し、他方の手で柄１０を上から押さえて清掃するため、他方の手の近傍にスクイズ式吐出容器４０を取付けできるから、使用者が清掃姿勢のまま容易にスクイズできる。
【００２５】
(c)柄１０にスクイズ式吐出容器４０を取付けるだけであり、乾式拭き用清掃具１にスクイズ式吐出容器４０を取付けてこれを簡易に湿式拭き用清掃具１として使用できる。
【００２６】
（請求項２）
(d)スクイズ式吐出容器４０の開口４２Ａにチューブ４３を介して接続されたノズル４４を清掃ヘッド３０の側傍に配置することにより、液剤を清掃ヘッド３０の周辺に確実に吐出できる。
【００２７】
（請求項３）
(e)自己閉鎖弁４５の存在により、スクイズ式吐出容器４０をスクイズしていない静圧状態での液漏れを防止でき、自己閉鎖弁４５が閉鎖しているから吐出口、スピンエレメント４４Ｂ等の狭い流路に残った液剤が乾燥しにくい。
【００２８】
（請求項４）
(f)スクイズ式吐出容器４０に空気置換弁５０を設けることにより、スクイズ式吐出容器４０から液剤を吐出して減圧される容器内に直ちに外気を取り入れて空気置換でき、液剤を連続的に吐出できる。
【００２９】
（請求項５）
(g)スクイズ式吐出容器４０を積層剥離容器６０とすることにより、スクイズされた外側層６１と内側層６２の間に直ちに空気を導入して外側層６１を復元でき、液剤を連続的に吐出できる。
【００３０】
（請求項６）
(h)スクイズ式吐出容器４０を、少なくとも非清掃時に、正立状態で柄１０に取付けることにより、液漏れを防止できる。
【００３１】
清掃具１は、図１（Ｂ）に示す如く、柄１０に枢支（枢支点１６Ａ）したハンドル１６により、ハンドル１６と柄１０の間でスクイズ式吐出容器４０を挟むことにてスクイズするものである。
【００３２】
また、スクイズ式吐出容器４０は容器本体４１を柄１０に着脱可能にする把持部を容器本体４１自体に備えるものでも良い。
【００３３】
尚、ノズル４４の吐出制御の方法は以下の通りである。
ノズル本体４４Ａをスピンエレメント４４Ｂに対して回転することによって、スピンエレメント４４Ｂとノズル本体４４Ａとの間に形成された流路４４Ｃを開閉させることができる。スピンエレメント４４Ｂとノズル本体４４Ａとの間の流路４４Ｃを閉じた状態にすれば、不使用時、又は、乾式清掃時においてスクイズ式吐出容器４０からの液漏れを確実に防止できる。これにより、容器４０を誤ってスクイズした場合にも液漏れを生じることがない、いわゆる安全ストッパーを構成できる。
【００３４】
ノズル本体４４Ａの回転による流路４４Ｃの開閉と自己閉鎖弁４５による吐出口の開閉の併用も可能であるが、自己閉鎖弁４５を使用しないで小径筒状部４４Ｄをスピンエレメント４４Ｂより前方吐出側に位置させることにより、液剤を霧状又は泡状に吐出させることもできる。尚、小径筒状部４４Ｄは直径0.3〜1.0mm程度が好ましい。
【００３５】
これによれば、吐出容器４０をスクイズすることによりチューブ４３を圧送された液剤は、スピンエレメント４４Ｂにより流路４４Ｃを絞られて、自己閉鎖弁４５又は小径筒状部４４Ｄにより霧状又は泡状に吐出される。
【００３６】
また、スクイズ式吐出容器４０を用いることにより、液体に限らず、粒が混入した液剤、流状物、粘性がある液剤等、幅広い内容物の使用が可能になる。更に、自己閉鎖弁４５を備えることにより、空気にさらされると固化し易い液剤、例えばワックス液等も使用可能になる。
【産業上の利用可能性】
【００３７】
本発明によれば、湿式拭きできる清掃具において、簡易な構成により液剤を安定的に吐出できる。
【符号の説明】
【００３８】
１  清掃具
１０  柄
１６  ハンドル
３０  清掃ヘッド
４０  スクイズ式吐出容器
４３  チューブ
４４  ノズル
４５  自己閉鎖弁
５０  空気置換弁
６０  積層剥離容器
６１  外側層
６１Ａ  空気導入孔
６２  内側層
【図１】
2010063942.tif 000003
【図２】
2010063942.tif 000004
【図３】
2010063942.tif 000005
【図４】
2010063942.tif 000006
【図５】
2010063942.tif 000007
【図６】
2010063942.tif 000008